(57)【要約】【課題】吸収部材の着脱が容易で、洗濯の際等の手間も掛からない失禁パンツを提供する。【解決手段】この失禁パンツ１は、布製のパンツ本体１１と、パンツ本体１１の肌面側に固定された不透液性の防水シート１２と、透液性を有し、防水シート１２との間に吸収部材１７を挟み込んで保持する表面シート１３と、保持部１４と、第１及び第２の止着部１５，１６を備えている。表面シート１３の後側の外縁１３ａに沿った略Ｕ字状又は略円弧状の後側固定部分１３ｂが防水シート１２の肌面側における後側に位置する部分に固定されており、表面シート１３の前側の部分が開閉可能となっている。表面シート１３の後側保持部１４は、表面シート１３の後側固定部分１３ｂによって構成され、吸収部材１７の後側の部分１７ａを受け入れて保持する略ポケット状の構造を有する。【選択図】図２
2010233602.tif 000002
【特許請求の範囲】
【請求項１】
尿を吸収する吸収部材が着脱自在に装着される失禁パンツであって、
左右の脚孔及びウエスト開口を有し、当該失禁パンツの外形を構成する布製のパンツ本体と、
前記パンツ本体の肌面側における股下部を含む領域に固定された不透液性の防水シートと、
透液性を有するシート材によって形成され、前記防水シートの肌面側における当該失禁パンツの後側に位置する部分に、前記シート材の前記後側の外縁に沿った略Ｕ字状又は略円弧状の後側固定部分が固定されるとともに、前記シート材における前記後側固定部分よりも当該失禁パンツの前側に位置する部分が前記防水シートに対して近接、離反可能となっており、前記防水シートとの間で前記吸収部材を挟み込む表面シートと、
前記表面シートの前記後側固定部分によって構成された略ポケット状の構造を有し、前記吸収部材の前記後側の部分を受け入れて保持する保持部と、
前記表面シートの外面側における前記前側の部分に設けられた第１の止着部と、
前記防水シートの肌面側に設けられ、前記第１の止着部が着脱自在に止着される第２の止着部と、
を備えることを特徴とする失禁パンツ。
【請求項２】
請求項１に記載の失禁パンツにおいて、
前記表面シートを形成する前記シート材は、その厚み方向に弾性を有することを特徴とする失禁パンツ。
【請求項３】
請求項１又は請求項２に記載の失禁パンツにおいて、
前記表面シートを形成する前記シート材は、前記パンツ本体を形成する素材のこわさよりも大きなこわさを有することを特徴とする失禁パンツ。
【請求項４】
請求項１ないし請求項３のいずれかに記載の失禁パンツにおいて、
前記表面シートを形成する前記シート材は、メッシュ構造を有することを特徴とする失禁パンツ。
【請求項５】
請求項４に記載の失禁パンツにおいて、
前記表面シートを形成する前記シート材は、
当該シート材の厚み方向に間隔をあけて配置されたメッシュ状の複数の編地と、前記編地間に編み渡され、前記編地間を連結する連結糸とを有することを特徴とする失禁パンツ。
【請求項６】
請求項１ないし請求項５のいずれかに記載の失禁パンツにおいて、
前記表面シートを形成する前記シート材は、撥水性を有することを特徴とする失禁パンツ。
【請求項７】
請求項１ないし請求項６のいずれかに記載の失禁パンツにおいて、
前記第１の止着部及び前記第２の止着部のいずれか一方は、複数のループ構造が設けられたループ部材であり、前記第１の止着部及び前記第２の止着部のいずれか他方は、前記ループ部材の前記ループ構造に着脱自在に係合する複数のフック構造が設けられたフック部材であることを特徴とする尿失禁パンツ。
【請求項８】
請求項１ないし請求項７のいずれかに記載の失禁パンツにおいて、
前記表面シートにおける前記パンツ本体の股下部に位置する部分の左右両側に設けられ、前記パンツ本体の前記股下部の左右両側の縁部を超えて左右方向外方に張り出す張り出し部をさらに備えることを特徴とする失禁パンツ。
【発明の詳細な説明】
【技術分野】
【０００１】
本発明は、尿を吸収する吸収部材が着脱自在に装着される失禁パンツに関する。
【背景技術】
【０００２】
従来の失禁パンツとしては、特許文献１に記載のものがある。この失禁パンツでは、パンツ本体（１）の内面に、吸水性ポリマーシート（５）を着脱自在とする挿脱口（６）を裏面に設けた吸収パッド（４）が止着部材（７，８）により着脱自在に設けられている（要約、図２、図４、図５）。
【先行技術文献】
【特許文献】
【０００３】
【特許文献１】登録実用新案第３０１０５７９号公報
【発明の概要】
【発明が解決しようとする課題】
【０００４】
しかしながら、上記の従来の失禁パンツでは、吸水性ポリマーシート（５）を吸収パッド（４）の狭い挿脱口（６）から挿脱する構成であるため、吸収性ポリマー（５）の着脱がやり難いという問題がある。また、パンツ本体（１）と吸収パッド（４）とが分離するため、洗濯、乾燥、保管等の際のに手間が増えるという問題もある。
【０００５】
そこで、本発明の解決すべき課題は、吸収部材の着脱が容易で、洗濯の際等の手間も掛からない失禁パンツを提供することである。
【課題を解決するための手段】
【０００６】
上記の課題を解決するため、請求項１の発明では、尿を吸収する吸収部材が着脱自在に装着される失禁パンツであって、左右の脚孔及びウエスト開口を有し、当該失禁パンツの外形を構成する布製のパンツ本体と、前記パンツ本体の肌面側における股下部を含む領域に固定された不透液性の防水シートと、透液性を有するシート材によって形成され、前記防水シートの肌面側における当該失禁パンツの後側に位置する部分に、前記シート材の前記後側の外縁に沿った略Ｕ字状又は略円弧状の後側固定部分が固定されるとともに、前記シート材における前記後側固定部分よりも当該失禁パンツの前側に位置する部分が前記防水シートに対して近接、離反可能となっており、前記防水シートとの間で前記吸収部材を挟み込む表面シートと、前記表面シートの前記後側固定部分によって構成された略ポケット状の構造を有し、前記吸収部材の前記後側の部分を受け入れて保持する保持部と、前記表面シートの外面側における前記前側の部分に設けられた第１の止着部と、前記防水シートの肌面側に設けられ、前記第１の止着部が着脱自在に止着される第２の止着部とを備える。
【０００７】
また、請求項２の発明では、請求項１の発明に係る失禁パンツにおいて、前記表面シートを形成する前記シート材は、その厚み方向に弾性を有する。
【０００８】
また、請求項３の発明では、請求項１又は請求項２の発明に係る失禁パンツにおいて、前記表面シートを形成する前記シート材は、前記パンツ本体を形成する素材のこわさよりも大きなこわさを有する。
【０００９】
また、請求項４の発明では、請求項１ないし請求項３のいずれかの発明に係る失禁パンツにおいて、前記表面シートを形成する前記シート材は、メッシュ構造を有する。
【００１０】
また、請求項５の発明では、請求項４の発明に係る失禁パンツにおいて、前記表面シートを形成する前記シート材は、当該シート材の厚み方向に間隔をあけて配置されたメッシュ状の複数の編地と、前記編地間に編み渡され、前記編地間を連結する連結糸とを有する。
【００１１】
また、請求項６の発明では、請求項１ないし請求項５のいずれかの発明に係る失禁パンツにおいて、前記表面シートを形成する前記シート材は、撥水性を有する。
【００１２】
また、請求項７の発明では、請求項１ないし請求項６のいずれかの発明に係る失禁パンツにおいて、前記第１の止着部及び前記第２の止着部のいずれか一方は、複数のループ構造が設けられたループ部材であり、前記第１の止着部及び前記第２の止着部のいずれか他方は、前記ループ部材の前記ループ構造に着脱自在に係合する複数のフック構造が設けられたフック部材である。
【００１３】
また、請求項８の発明では、請求項１ないし請求項７のいずれかの発明に係る失禁パンツにおいて、前記表面シートにおける前記パンツ本体の股下部に位置する部分の左右両側に設けられ、前記パンツ本体の前記股下部の左右両側の縁部を超えて左右方向外方に張り出す張り出し部をさらに備える。
【発明の効果】
【００１４】
請求項１に記載の発明に係る失禁パンツによれば、パンツ本体の肌面側に防水シートが設けられ、その防水シートと防水シートの肌面側に設けられた表面シートとの間に吸収部材が挟み込まれて保持される。表面シートはその後側固定部分が防水シートの肌面側における当該失禁パンツの後側に位置する部分に固定されているとともに、表面シートの後側固定部分よりも前側に位置する部分が防水シートに対して近接、離反可能となっている。それ故、吸収部材の着脱時は、表面シートの後側固定部分よりも前側に位置する部分を防水シートから離反する方向にめくり上げることにより、吸収部材の着脱を容易に行える。
【００１５】
また、表面シートの外面側における前側の部分に設けられた第１の止着部と、防水シートの肌面側に設けられた第２の止着部とによって、表面シートの前側の部分を防水シートに対して着脱自在に固定できる。これにより、吸収部材をパンツ本体に装着したときに、表面シートの前側の部分及び吸収部材が不安的になることもない。
【００１６】
また、表面シートの防水シートと固定される後側固定部分が、表面シートの後側の外縁に沿った略Ｕ字状又は略円弧状の形状を有し、その後側固定部分によって略ポケット状の保持部が構成されている。そして、その保持部が吸収部材の後側の部分を受け入れて保持する。このため、吸収部材をパンツ本体に装着したときに、吸収部材の位置ずれ又は脱落等が生じるのを確実に防止できる。
【００１７】
また、防水シート及び表面シートはパンツ本体に固定されているため、洗濯時等にそれらをパンツ本体から取り外す必要がなく、失禁パンツの洗濯、乾燥、管理際等の手間が掛からない。
【００１８】
請求項２に記載の発明によれば、表面シートを形成するシート材がその厚み方向に弾性を有しているため、吸収部材による着用者の肌への当たりを表面シートによって緩和することができる。
【００１９】
請求項３に記載の発明によれば、表面シートを形成するシート材がパンツ本体を形成する素材のこわさよりも大きなこわさを有するため、表面シートの開閉等の操作が行い易い。例えば、吸収部材が尿を吸収している状態においても、表面シートを吸収部材及び防水シートから容易に引き離すことができ、吸収部材の着脱を容易に行える。
【００２０】
請求項４に記載の発明によれば、表面シートを形成するシート材がメッシュ構造を有するため、着用者の尿が迅速に表面シートを透過して吸収部材に吸収される。その結果、尿が表面シートの肌面側表面に沿って外部に流れ出しまう等の尿漏れを抑制できる。
【００２１】
また、メッシュ構造を有する表面シートが着用者の肌面と吸収部材との間に介在するため、着用者の肌面と吸収部材との間に適度な隙間を形成でき、これによって、吸収部材に含まれる水分による着用者の肌面の湿気感、ベタ付き感等を軽減でき、着用感を向上できる。
【００２２】
請求項５に記載の発明によれば、表面シートを形成するシート材が、当該シート材の厚み方向に間隔をあけて配置されたメッシュ状の複数の編地と、その編地間に編み渡され、編地間を連結する連結糸とを有し、メッシュ状の複数の編地が連結糸によって厚み方向に間隔をあけた状態で支持される。これによって、表面シートが言わば立体的に編まれたメッシュ構造を有しているため、厚み方向に良好な弾性を有しするとともに適度なこわさを有する表面シートを実現できる。しかも、表面シートの十分な厚みを確保しながら、表面シートに良好な透液性及び通気性を持たせることができる。
【００２３】
請求項６に記載の発明によれば、表面シートを形成するシート材が撥水性を有しているため、表面シートの保水性を抑制でき、その結果、吸収部材が尿を吸収した状態でにおいても表面シートに含まれる水分を抑制することができ、着用者の感じる湿気感等の不快感を軽減できる。また、表面シートの保水性が抑制されているため、表面シートが乾燥しやすいという利点もある。
【００２４】
請求項７に記載の発明によれば、表面シートの前側の部分をパンツ本体側に着脱自在に固定するための第１及び第２の止着部に、ループ部材とフック部材とが用いられているため、表面シートの前側の部分を確実にパンツ本体側に固定することがきるとともに、着脱操作も容易に行うことができる。
【００２５】
請求項８に記載の発明によれば、表面シートにおけるパンツ本体の股下部に位置する部分の左右両側に、パンツ本体の股下部の左右両側の縁部を超えて左右方向外方に張り出す張り出し部が設けられている。このため、吸収部材が表面シートと防水シートとの間に装着された際に、吸収部材の左右方向の位置ずれが左右の張り出し部によって左右両側から止められ、これによって、吸収部材の位置ずれ又は脱落等を確実に防止できる。例えば、吸収部材がパンツ本体に装着された状態で、表面シートの左右の張り出し部を、張り出し部がパンツ本体の股下部を抱え込むように股下部の外面側に折り曲げるなどすることにより、張り出し部による吸収部材の保持機能をより高めることができる。
【図面の簡単な説明】
【００２６】
【図１】本発明の一実施形態に係る失禁パンツの斜視図である。
【図２】図１の失禁パンツを左右のサイド部分で切って平面的に展開した図である。
【図３】図２の失禁パンツのＡ１−Ａ１線に沿った断面の構成を示す断面図である。
【図４】図１の失禁パンツに対する吸収性物品の着脱時の操作を説明するための図である。
【図５】図１の失禁パンツの表面シートに用いられる立体編物の一例の構成を模式的に示す図である。
【図６】図６（ａ）及び図６（ｂ）は図５の立体編物の断面の構成を模式的に示す断面図であり、（ａ）は押圧力が作用していない立体編物の自然状態を示し、（ｂ）は押圧力によって立体編物が厚み方向に圧縮された状態を示している。
【図７】図２に示す失禁パンツの構成の変形例を示す図である。
【図８】図７の失禁パンツのＡ２−Ａ２線に沿った断面の構成を示す断面図であり、表面シートの左右の張り出し部が失禁パンツの股下部の外面側に折り畳まれて止着された状態を示している。
【図９】図１の失禁パンツに一例として用いられる吸収部材の一部を破断した斜視図である。
【図１０】図９の吸収部材に備えられる内側袋部材の平面図である。
【図１１】図１０の内側袋部材のＡ３−Ａ３線に沿った断面の構成を示す図である。
【発明を実施するための形態】
【００２７】
図１は、本発明の一実施形態に係る失禁パンツの斜視図である。図２は、図１の失禁パンツを左右のサイド部分（図１の仮想線Ｌ１で示す部分）で切って平面的に展開した図である。図３は、図２の失禁パンツのＡ１−Ａ１線に沿った断面の構成を示す断面図である。図４は図１の失禁パンツに対する吸収性物品の着脱時の操作を説明するための図である。なお、図２において図面に向かって上側が失禁パンツ１の前側に対応している。
【００２８】
本実施形態に係る失禁パンツ１は、図１ないし図３に示すように、パンツ本体１１と、防水シート１２と、表面シート１３と、保持部１４と、第１及び第２止着部１５，１６とを備えて構成され、尿を吸収する吸収部材１７が着脱自在に装着される。この失禁パンツ１は、洗濯可能であり、何度も再利用できるものである。
【００２９】
パンツ本体１１は、洗濯可能な１又は複数の布材がパンツの外形を構成するように縫合等により接合されて形成されており、左右の脚孔２１及びウエスト開口２２を有している。パンツ本体１１を構成する布材としては、例えば、綿、化学繊維又はそれらの混合繊維からなる織布が用いられる。
【００３０】
防水シート１２は、不透液性の素材により形成され、パンツ本体１１の肌面側におけるパンツ本体１１の股下部２３を含む領域を覆うように、縫合又は接着等により固定されている。この簿防水シート１２によって、後述する吸収部材１７によって吸収された尿が失禁パンツ１の外部にしみ出すのが防止される。
【００３１】
表面シート１３は、透液性を有するシート材によって形成され、吸収部材１７をカバー部材１２との間に挟み込んで保持する。表面シート１３における失禁パンツ１の後側の外縁１３ａに沿った略Ｕ字状又は略円弧状の後側固定部分１３ｂは、防水シート１２の肌面側における後側に位置する部分に、縫合等により固定されている。表面シート１３の後側固定部分１３ｂよりも失禁パンツ１の前側に位置する部分は、図４に示すように、防水シート１２等と固定されておらず、吸収部材１７の着脱時に防水シート１２に対して近接、離反できるようになっている。
【００３２】
保持部１４は、表面シート１３の後側固定部分１３ｂと防水シート１２とによって囲まれた略ポケット状の空間を有し、吸収部材１７の後側の部分１７ａを受け入れて保持する。なお、吸収部材１７は前後の構成の区別があるものであってもよいし、前後の区別がなく前後対称のものであってもよい。
【００３３】
第１及び第２の止着部１５，１６は、表面シート１３の前側の部分をパンツ本体１１側（具体的には防水シート１２）に着脱自在に固定するためのものである。第１の止着部１５は、表面シート１３の外面側（肌面側と反対側）における前側の部分に縫合又は接着等により固定されている。第２の止着部１６は、防水シート１２の肌面側における第１の止着部１５と対応する位置に縫合又は接着等により固定され、第１の止着部１５が着脱自在に止着される。より具体的には、第１の止着部１５及び第２の止着部１６のいずれか一方は、複数のループ構造が設けられたループ部材であり、第１の止着部１５及び第２の止着部１６のいずれか他方は、ループ部材のループ構造に着脱自在に係合する複数のフック構造が設けられたフック部材である。本実施形態では、第１の止着部１５がフック部材となっており、第２の止着部１６がループ部材となっている。
【００３４】
吸収部材１７としては、交換可能なタイプのものであれば、種々のものが採用できるが、略パット状で薄型のものが好ましい。なお、吸収部材１７の具体例については、図９ないし図１１を用いて後述する。
【００３５】
失禁パンツ１に吸収部材１７を装着するときは、図４に示すように、第１及び第２の止着部１５，１６の止着状態を解除し、表面シート１３の前側の部分を防水シート１２から引き離すようにしてめくり上げて開く。そして、吸収部材１７の後側の部分１７ａを保持部１４内に挿入するようにして、吸収部材１７を防水カバー１２上に置き、表面シート１３の前側の部分を閉じて、第１の止着部１５を第２の止着部１６に止着する。吸収部材１７の交換又は取り外しは、第１及び第２の止着部１５，１６の止着状態を解除することにより、容易に行える。
【００３６】
このような失禁パンツ１の構成により、吸収部材１７の着脱時は、表面シート１３の前側の部分を防水シート１２から離反する方向にめくり上げることにより、吸収部材１７の着脱を容易に行える。
【００３７】
また、第１及び第２の止着部１５，１６によって表面シート１３の前側の部分を防水シート１２に対して着脱自在に固定できるため、吸収部材１７をパンツ本体１１に装着したときに、表面シート１３の前側の部分及び吸収部材１７が不安的になることがない。
【００３８】
また、本実施形態では、第１及び第２の止着部１５，１６に、ループ部材とフック部材とが用いられているため、表面シート１３の前側の部分を確実にパンツ本体側に固定することがきるとともに、着脱操作も容易に行うことができる。
【００３９】
また、表面シート１３の後側固定部分１３ｂによって略ポケット状の保持部１４が構成され、その保持部１４が吸収部材１７の後側の部分１７ａを受け入れて保持する。このため、吸収部材１７をパンツ本体１１に装着したときに、吸収部材１７の位置ずれ又は脱落等が確実に生じるのを防止できる。
【００４０】
また、防水シート１２及び表面シート１３はパンツ本体１１に固定されているため、洗濯時等にそれらをパンツ本体１１から取り外す必要がなく、失禁パンツ１の洗濯、乾燥、管理際等の手間が掛からない。
【００４１】
次に、表面シート１３に用いられているシート材について詳しく説明する。表面シート１３に用いられるシート材は、その厚み方向に弾性を有するとともに、適度なこわさを有しているのが好ましく、さらにメッシュ構造を有しているのがより好ましい。表面シート１３の厚み方向の圧縮弾性率については、例えば２０〜２００Ｎ／ｍ2程度の素材を用いるのが好ましい。また、表面シート１３のこわさの程度については、パンツ本体１１を形成する素材のこわさよりも大きいことが好ましい。
【００４２】
表面シート１３に厚み方向の弾性を付与することにより、吸収部材１７による着用者の肌への当たりを表面シート１３によって緩和することができる。また、表面シート１３に適度なこわさを付与することにより、表面シート１３の開閉等の操作が行い易くなる。例えば、吸収部材１７が尿を吸収している状態においても、表面シート１３を吸収部材１３及び防水シート１２から容易に引き離すことができ、吸収部材１７の着脱を容易に行える。
【００４３】
また、表面シート１３にメッシュ構造を有するシート材を用いることにより、着用者の尿が迅速に表面シート１３を透過して吸収部材１７に吸収される。その結果、尿が表面シート１３の肌面側表面に沿って外部に流れ出しまう等の尿漏れを抑制できる。また、メッシュ構造を有する表面シート１３が着用者の肌面と吸収部材１７との間に介在するため、着用者の肌面と吸収部材１７との間に適度な隙間を形成でき、これによって、吸収部材１７に含まれる水分による着用者の肌面の湿気感、ベタ付き感等を軽減でき、着用感を向上できる。
【００４４】
このような特性及び構造が要求される表面シート１３の素材としては、例えば立体編物と呼ばれるシート材を好適に用いることができる。図５は、表面シートに用いられる立体編物の一例の構成を模式的に示す図である。図６（ａ）及び図６（ｂ）は図５の立体編物の断面の構成を模式的に示す断面図であり、（ａ）は押圧力が作用していない立体編物の自然状態を示し、（ｂ）は押圧力によって立体編物が厚み方向に圧縮された状態を示している。
【００４５】
この立体編物３１は、図５に示すように、第１及び第２の編地３２，３３と、第１及び第２の編地３２，３３間に編み渡された連結糸３４とを備えて構成されている。第１及び第２の編地３２，３３は、メッシュ状に編まれた編組であり、立体編物３１の厚み方向Ｄに間隔をあけて配置されている。連結糸３４は、第１及び第２の編地３２，３３間に編み渡され、第１及び第２の編地３２，３３間を連結する。連結糸３４の素材としては、第１及び第２の編地３２，３３を間隔をあけた状態で支持する必要があるため、適度な剛性を有していることが好ましい。連結糸３４は、第１の編地３２の編み目と第２の編地３３の編み目との間に編み渡される。このとき、連結糸３４の編み渡し方としては、編み渡された連結糸３４によって、第１の編地３２と第２の編地３３との間に多数の三角形が連なってなるトラス構造を形成するのがよい。
【００４６】
立体編物３１に厚み方向Ｄの押圧力Ｆが与えられたときには、立体編物３１が、図６（ａ）に示す自然状態から図６（ｂ）に示す状態へ弾性的に変化する。このとき、押圧力により連結糸３４が弾性的に撓み変形することにより、第１の編地３２と第２の編地３３との間が縮まるようにして弾性的に圧縮される。押圧力Ｆが解除されると、弾性糸３４が撓み状態から自律的に復帰するのに伴って、第１の編地３２と第２の編地３３との間の間隔が元の間隔に戻る。
【００４７】
このように、立体編物３１は言わば立体的に編まれたメッシュ構造を有しているため、厚み方向Ｄに良好な弾性を有しするとともに適度なこわさを有する表面シート１３を構成できる。しかも、表面シート１３の十分な厚みを確保しながら、表面シート１３に良好な透液性及び通気性を持たせることができる。
【００４８】
なお、本実施形態では、２層の編地３２，３３間を連結糸３４により連結したが、３層以上の編地を連結糸３４で連結してもよい。また、第１の編地３２のメッシュパターンと第２の編地３３のメッシュパターンとは同一であってもよいし、異なっていてもよい。
【００４９】
また、本実施形態では、表面シート１３を形成するシート材が、撥水性を有する素材により形成されている。なお、素材の材料そのものが撥水性を有するような材料を用いてシート材を形成する構成の他、親水性を有する素材に撥水処理を施した後、その素材を用いて表面シート１３を形成する構成が採用可能である。
【００５０】
このように表面シート１３を撥水性を有する素材により形成することにより、表面シート１３の保水性を抑制でき、その結果、吸収部材１７が尿を吸収した状態でにおいても表面シート１３に含まれる水分を抑制することができ、着用者の感じる湿気感等の不快感を軽減できる。また、表面シート１３の保水性が抑制されているため、表面シート１３が乾燥しやすいという利点もある。
【００５１】
図７は図２に示す失禁パンツの構成の変形例を示す図であり、図８は図７の失禁パンツのＡ２−Ａ２線に沿った断面の構成を示す断面図であり、表面シートの左右の張り出し部が失禁パンツの股下部の外面側に折り畳まれて止着された状態を示している。この図７及び図８に示す変形例では、表面シート１３の左右両側の側縁部から左右方向に張り出す左右の張り出し部３６が設けられている。この左右の張り出し部３６は、表面シート１３におけるパンツ本体１１の股下部２３に位置する部分の左右両側において、パンツ本体１１の股下部２３の左右両側の縁部を超えて左右方向外方に張り出している。
【００５２】
左右の張り出し部３６の左右方向外方側の端部における外面側には、張り出し部３６をパンツ本体１１の股下部２３の外面側に着脱自在に止着するための第３の止着部３７が縫合又は接着等により固定されている。これに対応して、パンツ本体１１の股下部２３の外面側には、第３の止着部３７が着脱自在に止着される第４の止着部３８が縫合又は接着等により固定されている。なお、この変形例では第４の止着部３８を左右の張り出し部３６に設けられた第３の止着部３７ごとに設けたが、よりサイズの大きい単一の第４の止着部３８を設け、その単一の第４の止着部３８に対して左右の第３の止着部３７を止着するようにしてもよい。また、第３の止着部３７及び第４の止着部３８のいずれか一方はループ部材であり、第３の止着部３７及び第４の止着部３８のいずれか他方はフック部材である。この変形例では、第３の止着部３７がフック部材となっており、第４の止着部３８がループ部材となっている。なお、フック部材及びループ部材の構成は上述の第１及び第２の止着部１５，１６の場合とほぼ同様である。
【００５３】
失禁パンツ１に吸収部材１７を装着するときは、まず上述の如く吸収部材１７を表面シート１３と防水シート１２との間に挟み込む。そして、図８に示すように、表面シート１３の左右の張り出し部３６をパンツ本体１１の股下部２３を抱え込むように股下部２３の外面側に折り曲げて、第３の止着部３７を第４の止着部３８に止着し、張り出し部３６を折り曲げた状態に固定する。吸収部材１７の取り外しの際は、第３の止着部３７を第４の止着部３８の止着状態を解除して、取り外しを行う。
【００５４】
この変形例に係る構成により、吸収部材１７を表面シート１３と防水シート１２との間に装着した際に、吸収部材１７の左右方向の位置ずれが左右の張り出し部３６によって左右両側から止められる。これによって、吸収部材１７の位置ずれ又は脱落等を確実に防止できる。
【００５５】
なお、図７及び図８に示す変形例のさらなる変形例として、第３及び第４の止着部３７，３８を省略してもよい。第３及び第４の止着部３７，３８を省略しても、失禁パンツ１を装着したときに、表面シート１３に設けられた左右の張り出し部３６を脚孔２１を介してパンツ本体１１の股下部２３の外面側に引き出しておけば、張り出し部３６によって、吸収部材１７の左右方向の位置ずれ等を有効に止めることができる。
【００５６】
次に、図９ないし図１１を参照して、本実施形態に係る失禁パンツ１に用いられる交換可能な吸収部材１７の具体例について説明する。なお、この具体例に限らず、失禁パンツ１には種々の吸収部材１７を用いることができる。
【００５７】
この図９ないし図１１に示す吸収部材１７は、複数の内側袋部材１１１と、その各内側袋部材１１１内に入れられた吸収ポリマー１１２と、複数の内側袋部材１１１を収容する外側袋部材１１３とを備えて構成される。この吸収部材１７に用いられるすべての素材は、後述するように生分解性の材料により形成されており、使用後は吸収部材１７を土壌等に埋却できるようになっている。なお、この図９に示す構成では、外側袋部材１１３内に３つの内側袋部材１１１を収容したが、３つに限らず、１つでも、２つでも４つ以上でもよい。例えば、１又は複数の内側袋部材１１１を縦又は横方向に沿って折り畳んで外側袋部材１１３内に収容してもよい。
【００５８】
内側袋部材１１１は、薄い略シート状の形態を有し、生分解性及び透液性を有する不織布からなる２枚の第１のシート１１５，１１６により形成されている。内側袋部材１１１の内部には、外部から閉鎖され、かつ互いに互いに分割された複数の収容空間１１７が形成されている。第１のシート１１５，１１６を形成する不織布の材料としては、例えばポリ乳酸が用いられる。
【００５９】
第１のシート１１５，１１６は、一方向に沿って略長尺状に延びた略矩形の平面形状を有している。２枚の第１のシート１１５，１１６の周縁部１１５ａ，１１６ａ、及び複数の収容空間１１７間を分割する仕切り部１１５ｂ，１１６ｂが、溶着（加熱溶着又は超音波溶着）によって互いに接合されている（ここでは、加熱溶着が用いられている）。これによって、内側袋部材１１１内に、外部から遮断されかつ互いに分割された複数の収容空間１１７が形成される。図１０に示す例では、８つの収容空間１１７が２列に分けて形成されているが、収容空間１１７の数も８つに限定するものではなく、また収容空間１１７を３列以上に分けて設けてもよいし、１列だけの構成としてもよい。なお、図１０に示す例では、２枚の第１のシート１１５，１１６を用いて内側袋部材１１１を形成したが、１枚の第１のシート１１５を二つ折りにして接合することにより、内側袋部材１１１を形成してもよい。
【００６０】
吸収ポリマー１１２は、生分解性を有するとともに略粒状又は略粉状の形態を有し、各内側袋部材１１１の各収容空間１１７内に、収容空間１１７内において自由に移動可能な状態で入れられている。このため、吸収ポリマー１１２の各収容空間１１７内への充填量は、各収容空間１１７内に十分な余剰スペースが確保可能な分量に設定される。吸収ポリマー１１２の材料としては、例えばポリアスパラギン酸が用いられる。
【００６１】
外側袋部材１１３は、生分解性及び透液性を有する不織布からなる２枚の第２のシート１１８，１１９により形成されている。この外側袋部材１１３の収容空間内に、複数の内側袋部材１１１が重ね合わされた状態で収容される。第２のシート１１８，１１９を形成する不織布の材料としては、例えばポリ乳酸が用いられる。
【００６２】
第２のシート１１８，１１９は、一方向に沿って略長尺状に延びた略矩形の平面形状を有している。２枚の第２のシート１１８，１１９の周縁部１１８ａ，１１９ａが、溶着（加熱溶着又は超音波溶着）によって互いに接合されている（ここでは、加熱溶着が用いられている）、これによって、外側袋部材１１３の袋構造が形成される。なお、図９に示す例では、２枚の第２のシート１１８，１１９を用いて外側袋部材１１３を形成したが、１枚の第２のシート１１８を二つ折りにして接合することにより、外側袋部材１１３を形成してもよい。このように構成される吸収部材１７は、一方向に沿って延びた薄い略長尺状の形状を有している。
【００６３】
また、内側袋部材１１１を形成する第１のシート１１５，１１６の目付は、吸収ポリマー１１２がシート１１５，１１６の不織布繊維の隙間を通り抜けて外部の漏れるの防止するため、外側袋部材１１３を形成する第２のシート１１８，１１９の目付よりも高目付に設定されている。例えば、第１のシート１１５，１１６の目付は１平方メートル当たり約３０ｇに設定され、第２のシート１１８，１１９の目付は１平方メートル当たり約２０ｇに設定される。
【００６４】
このような吸収部材１７の構成によれば、内部の収容空間１１７内に略粒状又は略粉状の形態を有する吸収ポリマー１１２が入れられた複数の内側袋部材１１１が、重ね合わされた状態で外側袋部材１１３によって内包されている。このため、薄型でコンパクトな構成としながら十分な吸収容量が得られるとともに、本実施形態に係る失禁パンツ１に対する着脱時の取扱性も良好な吸収部材１７を実現できる。
【００６５】
また、内側袋部材１１１の各収容空間１１７内に、略粒状又は略粉状の形態を有する吸収ポリマー１１２が収容空間１１７内において自由に移動可能な状態で入れられている。このため、排泄液の吸収により吸収ポリマー１１２が膨潤する際のスペース的な余裕を十分に確保することができ、その結果、吸収ポリマー１１２の膨潤を阻害することなく、吸収ポリマー１１２の吸収性能を十分に発揮させることができる。
【００６６】
また、内側袋部材１１１の各収容空間１１７内において吸収ポリマー１１２が自由に移動できるため、吸収部材１１７の装着時における形状変化の自由度も大きい。その結果、吸収部材１１７の配置場所等に応じて吸収部材１１７の形状を自由に変化させることができる。
【００６７】
また、この吸収部材１７は上記の如く薄型でコンパクトな構成となっている。このため、吸収部材１７を失禁パンツ１の内側に配置する場合等に、当該吸収部材１７の配置により着用者が感じる圧迫感又は異物感等の違和感を軽減できる。
【００６８】
また、吸収部材１７に含まれる内側袋部材１１１、外側袋部材１１３及び吸収ポリマー１１２を構成する全ての素材が生分解性の素材により形成されているため、使用後は当該吸収部材１７を土壌等に埋却して処分できる。しかも、吸収ポリマー１１２が複数の内側袋部材１１１に分けて入れられているとともに、各内側袋部材１１１内においても分割された複数の収容空間１１７に分けて入れられているため、当該吸収部材１７が土壌等に埋却された際に、吸収ポリマー１１２を塊にならずに分散させて効率よく生分解させることができる。その結果、吸収部材１７全体を効率よく生分解させることができる。
【符号の説明】
【００６９】
１  失禁パンツ、１１  パンツ本体、１２  防水シート、１３  表面シート、１３ａ  後縁、１３ｂ  後側固定部、１４  保持部、１５  第１の止着部、１６  第２の止着部、１７  吸収部材、２１  脚孔、２２  ウエスト開口、２３  股下部、３１  立体編物、３２  第１の編地、３３  第２の編地、３４  連結糸、３６  張り出し部、３７  第１の止着部、３８  第２の止着部、１１１  内側袋部材、１１２  吸収ポリマー、１１３  外側袋部材部、１１５，１１６  第１のシート、１１７  収容空間、１１８，１１９  第２のシート。
【図１】
2010233602.tif 000003
【図２】
2010233602.tif 000004
【図３】
2010233602.tif 000005
【図４】
2010233602.tif 000006
【図５】
2010233602.tif 000007
【図６】
2010233602.tif 000008
【図７】
2010233602.tif 000009
【図８】
2010233602.tif 000010
【図９】
2010233602.tif 000011
【図１０】
2010233602.tif 000012
【図１１】
2010233602.tif 000013